(57)【要約】【課題】蓋片を持った場合にも内容物の重量により蓋片が開いて内容物が飛散せず、連接部からの内側折り返し片を最小限の長さにすることで紙取り面積を最小限にすることが可能な構造のカートンを提供することを目的とする。【解決手段】収納空間２４が天板２５によって閉塞される紙製カートンであって、側板２２Ａの表面に貼着される外側折り返し片３０が折曲げ可能に天板２５に連設され、さらに側板２２Ａの表面に外側折り返し片３０の裏面に貼着される表側接着部４４ｅが設けられる等であり、外側折り返し片３０に引っ掛け片４１を設け、さらに外側折り返し片３０が貼着される側板２２Ａの表面に前記引っ掛け片４１を引っ掛け可能な引っ掛け係止片３９を設けたことを特徴とするカートン。【選択図】図１
2004090975.tif 000002
【特許請求の範囲】
【請求項１】
少なくとも表層と裏層を積層した多層構造の紙材からなり、底板と複数の側板とに囲まれた収納空間が側板の一つに連設された天板によって閉塞される紙製カートンであって、
前記側板の表面に貼着される外側折り返し片が折曲げ可能に前記天板に連設され、
さらに前記外側折り返し片が貼着される側板の表面に該外側折り返し片の裏面に貼着される表側接着部が設けられるか、又は前記外側折り返し片の裏面に側板の表面にされる裏側接着部が設けられるか、又はこれら側板の表面の表側接着部と前記外側折り返し片の裏面の裏側接着部の両方が設けられているカートンにおいて、
前記外側折り返し片に引っ掛け片を設け、さらに前記外側折り返し片が貼着される側板の表面に前記引っ掛け片を引っ掛け可能な引っ掛け係止片を設けたことを特徴とするカートン。
【請求項２】
前記引っ掛け片が、前記外側折り返し片が貼着される側板と離れているか、又は容易に離れることが可能になっていることを特徴とする請求項１記載のカートン。
【請求項３】
前記外側折り返し片が貼着される側板と連接して折り返してある内側折り返し片を設けるとともに、その内側折り返し片が、前記引っ掛け片により形成される引っ掛け線、又は引っ掛け穴を内側から覆う様に設けたことを特徴とする請求項１又は２記載のカートン。
【請求項４】
前記表側接着部の周縁に位置する表層に切り込みが形成されているとき、前記天板または外側折り返し片の裏面の裏層に切り込みが前記天板と外側折り返し片との境界に位置する折り返し部に沿って形成されており、あるいは前記裏側接着部の周縁に位置する裏層に切り込みが形成されているとき、前記外側折り返し片が貼着される側板またはこれに連設された他の折り返し片の表面に形成する切り込みを前記側板と他の折り返し片との境界に位置する折り返し部に沿って半切れにするか、あるいは半切れまたは全切れによるミシン目としたことを特徴とする請求項１又は２又は３記載のカートン。
【請求項５】
前記外側折り返し片の裏面の裏側接着部の両側に第２の接着部が該裏側接着部と近接してあるいは接するように設けられ、前記両側の第２の接着部が側板に貼着されていることを特徴とする請求項１又は２又は３又は４記載のカートン。
【発明の詳細な説明】
【０００１】
【発明の属する技術分野】
本発明は、粉末洗剤などの粉体を収納するカートンに係わり、さらに詳しくは、コスト高となることがなく、開封し易く、開封後の外観が良好であるという性能を備えたカートン、さらには前述の性能を備えるうえ保存安定性が良好であるという性能を備えたカートンに関する。
【０００２】
【従来の技術】
従来のカートンは、特開平９−２７８０２９号に示す様に、少なくとも表層と裏層を積層した多層構造の紙材からなり、底板と複数の側板とに囲まれた収納空間が側板の一つに連設された天板によって閉塞される紙製カートンであって、前記側板の表面に貼着される外側折り返し片が折曲げ可能に前記天板に連設され、さらに前記外側折り返し片が貼着される側板の表面に該外側折り返し片の裏面に貼着される表側接着部が設けられるか、又は前記外側折り返し片の裏面に側板の表面にされる裏側接着部が設けられるか、又はこれら側板の表面の表側接着部と前記外側折り返し片の裏面の裏側接着部の両方が設けられ、さらに前記表側接着部の周縁に位置する表層と前記裏側接着部の周縁に位置する裏層のうち少なくとも一方に切り込みが形成されてなることを特徴とするカートンが公知である。
【０００３】
また、この前記表側接着部の周縁に位置する表層に切り込みが形成されているとき、前記天板または外側折り返し片の裏面の裏層に切り込みが前記天板と外側折り返し片との境界に位置する折り返し部に沿って形成されており、あるいは前記裏側接着部の周縁に位置する裏層に切り込みが形成されているとき前記外側折り返し片が貼着される側板またはこれに連設された他の折り返し片の表面に形成する切り込みを前記側板と他の折り返し片との境界に位置する折り返し部に沿って半切れにするか、あるいは半切れまたは全切れによるミシン目としたことを特徴とするカートンも同一の公知資料により公知である。
【０００４】
さらに、前記外側折り返し片の裏面の裏側接着部の両側に第２の接着部が該裏側接着部と近接してあるいは接するように設けられ、前記両側の第２の接着部が側板に貼着されていることを特徴とする請求項１又は２記載のカートンも同一の公知資料により公知である。
【０００５】
さらに具体的にその特開平９−２７８０２９号で公知になったカートンを詳しく説明する。
【０００６】
図１３はカートンの第一の従来例を示す斜視図である。また、図１４は、図１３に示したカートンを作製するための厚紙の裏層側から見た展開図である。
【０００７】
第一の従来例のカートンは、底板１２１と、長手方向の側板（以下、長側板と記す。）１２２Ａ，１２２Ｂと、短手方向の側板（以下、短側板と記す。）１２３Ａ，１２３Ｂとに囲まれた収納空間１２４が、一つの長側板１２２Ｂに連設された天板１２５によって閉塞される紙製の直方体状のものである。ここでの収納空間１２４には、商品Ｘとして粉末洗剤などの粉体が充填されている。
【０００８】
前記底板１２１と、長側板１２２Ａ，１２２Ｂと、短側板１２３Ａ，１２３Ｂと、天板１２５は、図１４に示すように一枚の厚紙１２０ａによって形成されている。該厚紙１２０ａは、少なくとも表層と裏層の二層以上を積層した多層構造のものであり、該裏層は通常古紙から構成されており、厚紙１２０ａの表層側表面の大部分がカートンの表面となり、裏層側表面がカートンの裏面となり、図１４中の矢印は紙目である。前記短側板１２３Ａは、底板１２１の一方の短辺、天板１２５の一方の短辺、長側板１２２Ｂの一方の短辺、長側板１２２Ｂに一方の短辺に連設された側板フラップ１２６Ａ，１２７Ａ，１２８Ａ，１２９Ａを重ね合わせて貼着して設けられた二重壁構造のものである。短側板１２３Ｂは、底板１２１の他方の短辺、天板１２５の一方の短辺、長側板１２２Ｂの他方の短辺、長側板１２２Ｂに他方の短辺に連設された側板フラップ１２６Ｂ，１２７Ｂ，１２８Ｂ，１２９Ｂを重ね合わせて貼着して設けられた二重壁構造のものである。
【０００９】
天板１２５には、外側の長側板１２２Ａの表面に貼着される外側折り返し片１３０が折曲げ可能に連設されている。前記天板１２５の両方の短辺（縁部）より内方の位置から折り返し片１３０にかけてミシン目または半切れによる破断線１３２が設けられ、該破断線１３２の破断により前記収納空間１２４を開閉する蓋片１３３が形成できるようになっている。このようにして形成された蓋片１３３は、天板１２５の中央部１２５ａと外側折り返し片１３０の中央部分１３０ａとからなるものである。
【００１０】
前記破断線１３２のうち天板１２５に設けられる半切れ１３２ａは、図１５に示すように天板１２５の表層側と裏層側からそれぞれ切り込み１３４ａ，１３４ｂを、半切れ状態で厚み方向の位置がわずかにずれるように入れることが好ましい。半切れ状態であると、切り込み１３４ａ，１３４ｂが天板１２５の表面側から裏面側にまで貫通していないので、収納空間１２４への湿気の侵入を少なくでき、特に、商品Ｘとして粉末洗剤が収納される場合、粉末洗剤が湿気により塊状となってしまうのを低減することができるからである。また、前記破断線１３２のうち外側折り返し片１３０に設けられるミシン目１３２ｂは、表面側から裏面側にまで貫通する通常のミシン目である方が蓋片１３３を形成し易く、開封が容易となるからである。
【００１１】
前記天板１２５の両方の短辺から天板の表層側に形成される切り込み１３４ａまでの幅Ｗ１としては、大きい方が、外側折り返し片１３０のミシン目１３２ｂと、天板１２５の長辺との間に作られる内角θが大きくなるため、開封が容易となるからである。例えば、カートンの大きさが横１５０×縦９０×高さ１３４ｍｍである場合、前記幅Ｗ１は、１０ｍｍ程度が好ましく、また、前記内角θは４５゜程度が好ましい。
【００１２】
外側折り返し片１３０の中央部１３０ａの先端部１３３ａには、蓋片１３３の先端部を摘み易くすることと、後述する差込み口１３９に蓋片１３３の先端部１３３ａを差込み易くするための半円状の差込みフラップ１４１が連設されている。また、この差込みフラップ１４１と外側折り返し片１３０との境界には、より開封し易くするために折り罫１４１ａが形成されていることが好ましい。
【００１３】
前記長側板１２２Ａには、該蓋片１３３の先端部１３３ａと差込みフラップ１４１を差込むための差込み口１３９が形成されている。この長側板１２２Ａには、差込み口１３９を内側から覆うための内側折り返し片（他の折り返し片）１４２が折曲げ可能に連接されている。そして、前記内側折り返し片１４２の裏面の周辺部１４２ａを長側板１２２Ａの内面に接着剤等により貼着して差込み口１３９を取り囲む周囲部が形成されている。また、内側折り返し片１４２の裏面の周辺部１４２ａより内方で、差込み口１３９を覆う中央部１４２ｂには、エンボス加工により凹部が形成されており、長側板１２２Ａと、内側折り返し片１４２とを貼着したときに、長側板１２２Ａと内側折り返し片１４２との間で、かつ差込み口１３９の周囲に隙間ができ、蓋片１３３の先端部１３３ａならびに差込みフラップ１４１を差込み口１３９に差込み易くなっている。
【００１４】
長側板１２２Ａの表面で、前記差込み口１３９と前記内側折り返し片１４２との間には、表側接着部１４４が設けられている。表側接着部１４４の形状は、前記内側折り返し片１４２側から差込み口１３９側にかけて先窄まり状のものであり、例えば、弓形、逆台形、逆二等辺三角形などを挙げることができ、この第一の従来例では弓形となっている。ここでの表側接着部１４４は、これの弦が長側板１２２Ａと内側折り返し片１４２との境界に位置するように設けられており、一方、円弧が差込み口１３９側となるように設けられている。また、外側折り返し片１３０の裏面でミシン目１３２ｂより内方に前記表側接着部１４４に貼着される裏側接着部１４８が設けられている。この裏側接着部１４８の形状は、前述の表側接着部１４４と略同形状であり、前記天板１２５側から外側折り返し片１３０の下部側にかけて先窄まり状のものであり、例えば、弓形、逆台形、逆二等辺三角形などを挙げることができ、この第一の従来例では弓形となっている。裏側接着部１４８は、これの弦が天板１２５と外側折り返し片１３０との境界に沿うように設けられており、一方、円弧が蓋片１３３の先端部１３３ａ側となるように設けられている。
【００１５】
そして、前記表側接着部１４４の周縁に位置する表層に切り込み１４５が形成されており、すなわち、長側板１２２Ａと内側折り返し片１４２との境界で表側接着部１４４の弦と重なる部分に位置する表層と、表側接着部１４４の円弧に位置する表層に切り込みが形成されている。また、さらに前記裏側接着部１４８の周縁に位置する裏層に切り込み１４６が形成されている。
【００１６】
裏側接着部１４８と表側接着部１４４の形状がそれぞれ前述のような先窄まり状であると、後述するように差込みフラップ１４１を引き上げ、破断線１３２に沿って外側折り返し片１３０ならびに天板１２５をカットすることにより蓋片１３３を形成してカートンを開封するときに、裏側接着部１４８または表側接着部１４４の先窄まりの先端部に引き上げ力が集中するので、表側接着部１４４の表層１４４ａがこれの輪郭に沿って容易に剥離して外側折り返し片１３０の裏側接着部１４８上に接着するので、裏側接着部１４８の一部分が破れて表側接着部１４４の表層４４ａの一部分とともに長側板２２Ａの表面に残るのを防止することができ、あるいは裏側接着部１４８の裏層がこれの輪郭に沿って容易に剥離して長側板１２２Ａの表側接着部１４４上に接着するので、表側接着部１４４の一部分が破れて裏側接着部１４８の裏層の一部分とともに外側折り返し片１３０の裏面に残るのを防止することができ、よって、開封後の外観が悪くなるのを防止することができるからである。
【００１７】
また、外側折り返し片１３０には、より開封し易くするために、裏側接着部１４８の円弧と近接してあるいは接するように折り罫１５１ａが形成されていることが好ましい。また、前記外側折り返し片１３０の裏面で、ミシン目１３２ｂの両側すなわち裏側接着部１４８の両側に第２の接着部１４７ａ，１４７ｂが前記裏側接着部１４８と近接してあるいは接するように設けられている。
【００１８】
前記長側板１２２Ａの表面の差込み口１３９の近傍には下側点状接着部１４９が設けられるか、又は外側折り返し片１３０の裏面のミシン目１３２ｂより内方で、かつ裏側接着部１４８と差込みフラップ１４１との下方には上側点状接着部１５０が設けられるか、又は長側板１２２Ａの表面の下側点状接着部１４９と外側折り返し片３０の裏面の上側点状接着部５０の両方が設けられ、さらに該下側点状接着部１４９の周縁に位置する表層と、上側点状接着部１５０の周縁に位置する裏層のうち少なくとも一方に切り込みが形成されていることが好ましい。
【００１９】
また、前記長側板１２２Ａの高さＨは、他の側板１２２Ｂ，１２３Ａ，１２３Ｂよりも天板１２５の厚み分程度低くなっていることが好ましい。ここで側板１２２Ａの高さＨが他の側板１２２Ｂ，１２３Ａ，１２３Ｂと同じ高さであると、外側折り返し片１３０を長側板１２２Ａに貼着したとき、天板１２５と外側折り返し片１３０との境界に位置する折り返し部の高さが天板１２５と各側板１２２Ｂ，１２３Ａ，１２３Ｂとの境界に位置する折り返し部の高より高くなり、得られるカートンの天板１２５に傾斜ができたり、長側板１２２Ａの長辺と外側折り返し片１３０との間に隙間ができてしまうからである。
【００２０】
前述のような厚紙１２０ａを用いてカートンを作製するとき、外側折り返し片３０の裏面の上側点状接着部１５０及びこれの周囲と、裏側接着部１４８と、第２の接着部１４７ａ，１４７ｂには接着剤が塗布されるが、このときミシン目１３２ｂの部分を避けて接着剤を塗布することが開封時におけるこの部分の外観上好ましい。ミシン目１３２ｂの部分にまで接着剤が塗布されると、ミシン目１３２ｂから接着剤が浸み込んで、開封時にミシン目１３２ｂからきれいに開封できないからである。また、厚紙１２０ａの表層側表面には、必要に応じて印刷が施されており、さらにこの印刷層上に外側折り返し片１３０と接着する部分を除いて、例えば、第２の接着部１４７ａ，１４７ｂや裏側接着部１４８や上側点状接着部１５０を接着する部分を除いて、ビニール引きなどのオーバーコートが施されている。ここで厚紙１２０ａの表層側表面で接着する部分にもオーバーコートが施されていると、接着不良が生じる恐れがあるからである。
【００２１】
そして、外側折り返し片１３０の裏側接着部１４８は長側板１２２Ａの表側接着部１４４に接着剤等により貼着されており、さらに、両側の第２の接着部１４７ａ，１４７ｂは長側板１２２Ａの表側接着部１４４の両側表面に接着剤等により貼着されている。さらに長側板１２２Ａに下側点状接着部１４９が設けられている場合は、該下側点状接着部１４９は外側折り返し片１３０の裏面に接着剤等により貼着されており、外側折り返し片１３０に上側点状接着部１５０が設けられている場合は、該上側点状接着部１５０は長側板１２２Ａの表面に接着剤等により接着されており、下側点状接着部１４９と上側点状接着部１５０の両方が設けられている場合は、長側板１２２Ａの下側点状接着部１４９と外側折り返し片１３０の上側点状接着部１５０とが接着剤等により貼着されている。
【００２２】
このように裏側接着部１４８と表側接着部１４４との貼着と、第２の接着部１４７ａ，１４７ｂと長側板１２２Ａとの貼着以外に、下側点状接着部１４９と外側折り返し片１３０とを貼着あるいは上側点状接着部１５０と長側板１２２Ａとを貼着あるいは下側点状接着部１４９と上側点状接着部１５０とを貼着することにより長側板２２Ａと外側折り返し片３０とを接着したカートンは、裏側接着部１４８と表側接着部１４４との貼着と、第２の接着部１４７ａ，１４７ｂと長側板１２２Ａとの貼着することにより長側板１２２Ａと外側折り返し片１３０とを接着したカートンに比べて、長側板１２２Ａと外側折り返し片１３０との接着力がより強くなる。
【００２３】
また、下側点状接着部１４９の周縁の表層と外側折り返し片１３０の上側点状接着部１５０の周縁の裏層のうち少なくとも一方に切り込みが形成されていることより、開封時には下側点状接着部１４９の表層と上側点状接着部１５０の裏層のうちいずれかが容易に剥離して他方の上に接着し、下側点状接着部１４９の周囲の長側板１２２Ａや、上側点状接着部１５０の周囲の外側折り返し片１３０が剥離したり破れたりすることが少なくなる。
【００２４】
また、蓋片１３３を構成する天板１２５の中央部１２５ａの裏面には、該中央部１２５ａの周縁からはみださない板紙からなる組立式計量スプーン１３５が接着剤、両面テープ等により取り外し可能に貼着されている。
【００２５】
このシート状の組立式計量スプーン１３５は、図１６に示すようにバルカナイズドファイバーからなる横長の長方形状のもので、中央部から左側に収納部形成用の２本の横Ｖ字型の折り目１３７ａ，１３７ａを形成し、中央部から右側に把手形成用の放射状に３本の折り目１３７ｂ，１３７ｂ，１３７ｂ、切り込み１３７ｃ，１３７ｃを形成し、把手片１３６ａ，１３６ｂ，１３６ｃを形成し、さらに把手片１３６ｃに半円状の切り込み１３７ｄにより係止部１３６を形成したものであり、簡単に組立てられるようになっているものである。
【００２６】
この組立式計量スプーン１３５の大きさは、天板１２５の中央部１２５ａの周縁部からはみ出さない大きさとされる。なお、組立式計量スプーン１３５はカートンの寸法により長側板１２２Ｂなどに取り出し可能に貼着することもできるが、洗剤に手を触れなくても済むことや、取り出しが容易であることから、天板１２５の裏面に貼着する方が好ましい。
【００２７】
組立式計量スプーン１３５が天板１２５の中央部１２５ａの周縁部からはみ出ていると、後述の洗剤メーカーに搬送する前に包材メーカーにおいて、図１７に示すような折り畳み物１２０ｂを作製するときや、洗剤メーカーでの組み立て時に側板の立ち上げを容易とするために図１８に示すような折り畳み物１２０ｃを作製するとき、組立式計量スプーン１３５が長側板１２２Ｂや外側折り返し片１３０に当ってしまい、折曲げにくくなるからである。
【００２８】
また、図１９に示すように洗剤メーカーでフラップ１２６Ｂ，１２７Ｂ，１２８Ｂ，１２９Ｂを貼着して短側板２３Ｂを形成するときや、収納空間１２４に商品Ｘを充填後、フラップ１２６Ａ，１２７Ａ，１２８Ａ，１２９Ａを貼着して短側板１２３Ａを形成するとき、これらフラップに組立式計量スプーン１３５が当ってしまい、短側板１２３Ａ，１２３Ｂを形成しにくくなるからである。また、図２０に示すように蓋片１３３を開けたときに、組立式計量スプーン１３５が長側板１２２Ａ，１２２Ｂあるいは短側板１２３Ａ，１２３Ｂに接触して取出しにくくなるからである。
【００２９】
このような組立式計量スプーン１３５の材質としては、紙などが用いられ、特にバルカナイズドファイバーが好適に用いられる。このバルカナイズドファイバーは、堅紙とも呼ばれ、濃度６５〜７５゜Ｂｅの塩化亜鉛の濃溶液をもって処理した変性加工紙の一種である。
【００３０】
図１４に示した厚紙１２０ａを用いて図１３に示した計量スプーン付きカートンを作製するには、例えば以下の工程によって製造することができる。まず、包材メーカーにおいて、図１４に示したような厚紙１２０ａを用意し、天板１２５の裏面に組立式計量スプーン１３５を天板１２５の中央部１２５ａの周縁からはみ出さないように接着剤、両面テープ等で取り外し可能に貼着する。
【００３１】
ついで、図１６に示すように内側折り返し片１４２と長側板１２２Ａとの境界を谷にして折曲げて、内側折り返し片１４２の裏面の周辺部１４２ａを、長側板１２２Ａの内面に接着剤等を用いて貼着して差込み口１３９を取り囲む周囲部を形成する。
【００３２】
この後、厚紙１２０ａの外側折り返し片１３０の裏面の上側点状接着部１５０及びこれの周囲と、裏側接着部１４８と、第２の接着部１４７ａ，１４７ｂには、ミシン目１３２ｂの部分を避けて接着剤等を塗布し、ついで図１７に示すように底板１２１と長側板１２２Ａとの境界と、長側板１２２Ｂと天板１２５との境界を谷にして折曲げた後、外側折り返し片１３０の裏側接着部１４８と長側板１２２Ａの表側接着部１４４とを貼着するとともに、外側折り返し片１３０の第２の接着部１４７ａ，１４７ｂを側板１２２Ａの表側接着部１４４の両側表面に貼着し、さらにこれとともに長側板１２２Ａの下側点状接着部１４９と、外側折り返し片１３０の上側点状接着部１５０とを貼着した後、板状の折り畳み物１２０ｂを作製する。
【００３３】
この後、洗剤メーカーでの組み立て時に側板の立ち上げを容易とするために、前記折り畳み物１２０ｂを、これの底板１２１と長側板１２２Ｂとの境界と、天板１２５と外側折り返し片１３０との境界を山にして折り曲げて折り目を付けて図１８に示すような板状の折り畳み物１２０ｃを作製した後、該折り畳み物１２０ｃを、これの底板１２１と長側板１２２Ａとの境界と、長側板１２２Ｂと天板１２５との境界を山にして折曲げて、図１７に示した折り畳み物１２０ｂの状態に戻しておく。
【００３４】
ついで、このような折り畳み物１２０ｂを積み重ね、紐等で束ねた後、洗剤メーカーに運搬する。
【００３５】
洗剤メーカーに搬入された折り畳み物１２０ｂは、一時的に保管される。このような折り畳み物１２０ｂは板状となっているので、また、組立式計量スプーン１３５はシート状のまま折り畳み物１２０ｂ内に挿入されているので、運搬時や保管時に、嵩張らず、積み重ね易く、高積みすることができる。
【００３６】
ついで、洗剤メーカーにおいて折り畳み物１２０ｂを、図１９に示すようにフラップ１２６Ｂ，１２７Ｂ，１２８Ｂ，１２９Ｂを接着剤等により貼着して短側板１２３Ｂを形成し、この短側板１２３Ｂの反対側の開口部１４０から収納空間１２４内に商品Ｘとして粉末洗剤を充填後、フラップ１２６Ａ，１２７Ａ，１２８Ａ，１２９Ａを接着剤等により貼着して短側板１２３Ａを形成すると、図１３に示すようなカートンが得られる。
【００３７】
次に、このようにして得られたカートンの使用例について説明する。まず、図１３に示すカートンの差込みフラップ１４１を摘み上げ、破断線１３２に沿って外側折り返し片１３０をカットして蓋片１３３の先端部１３３ａを形成する。
【００３８】
このようにすると、図２０に示すように長側板１２２Ａの下側点状接着部１４９の周縁の表層と外側折り返し片１３０の上側点状接着部１５０の周縁の裏層のうち少なくとも一方に切り込みが形成されていることより、下側点状接着部１４９の表層と上側点状接着部１５０の裏層のうちいずれかが容易に剥離して他方の上に接着する。例えば、厚紙１２０ａが表層と裏層の二層構造のものである場合、下側点状接着部１４９の表層１４９ａが剥離して上側点状接着部１５０上に接着し、長側板１２２Ａには下側点状接着部１４９の裏層１４９ｂが残る。
【００３９】
さらに、差込みフラップ１４１を引き上げ、破断線１３２に沿って外側折り返し片１３０ならびに天板１２５をカットして残りの部分の蓋片１３３を形成し、蓋片１３３を開けると、図１９に示すように蓋片１３３を構成する天板１２５の中央部１２５ａの裏面に貼着された組立式計量スプーン１３５が露出する。
【００４０】
このようにすると、表側接着部１４４の周縁に位置する表層に切り込み１４５が形成され、かつ裏側接着部１４８の周縁に位置する裏層に切り込み１４６が形成され、裏側接着部１４８が表側接着部１４４に貼着されていることにより、表側接着部１４４の表層と裏側接着部１４８の裏層のうちいずれかが容易に剥離して他方の上に接着する。例えば、図２０に示すように表側接着部１４４の表層１４４ａが容易に剥離して外側折り返し片１３０の裏側接着部１４８上に接着し、長側板１２２Ａには表側接着部１４４の裏層１４４ｂが残る。
【００４１】
ついで、露出した組立式計量スプーン１３５を、後述の露出した組立式計量スプーン３５同様に組立て、後述の計量スプーン１３５ａ同様の計量スプーン１３５ａが得られこれを粉末洗剤Ｘをすくい取って計量し、使用する。これは後述の実施例と同様なのでここでの説明は省略する。
【００４２】
粉末洗剤Ｘを使用した後は、差込み口１３９に蓋片１３３の先端部１３３ａならびに差し込みフラップ１４１を差込むことにより、収納空間１２４を閉塞し、粉末洗剤Ｘを保管しておく。ここで計量スプーン１３５ａは、蓋片１３３により収納空間１２４を閉塞する前に、収納空間１２４内に入れておく。再度、粉末洗剤Ｘを取出すときは、蓋片１３３の先端部１３３ａならびに差込みフラップ１４１を差込み口１３９から抜き、蓋片１３３を開け、この後、前述の方法と同様にして粉末洗剤Ｘを使用すればよい。
【００４３】
第一の従来例のカートンにあっては、表側接着部１４４の周縁に位置する表層に切り込み１４５が形成され、かつ裏側接着部１４８の周縁に位置する裏層に切り込み１４６が形成され、裏側接着部１４８が表側接着部１４４に貼着されていることにより、開封時に、表側接着部１４４の表層と裏側接着部１４８の裏層のうちいずれかが容易に剥離して他方の上に接着するので、裏側接着部１４８の周囲の外側折り返し片１３０や、表側接着部１４４の周囲の長側板１２２Ａが剥離したり破れることがなく、従って開封し易いうえ開封後の外観が良好である。
【００４４】
また、第一の従来例のカートンにおいては、さらに外側折り返し片１３０の裏面の裏側接着部１４８の両側に第２の接着部１４７ａ，１４７ｂが該裏側接着部１４８と近接してあるいは接するように設けられ、前記両側の第２の接着部１４７ａ，１４７ｂが長側板１２２Ａに貼着されていることにより、開封前は外側折り返し片３０と長側板２２Ａとの間の隙間の密封性が良好で、該隙間から収納空間１２４内に湿気が侵入したり、あるいは収納空間１２４に収容された粉末洗剤が前記隙間から外部に溢れることを防止することができるので保存安定性が優れており、また、裏側接着部１４８と表側接着部１４４との貼着だけにより外側折り返し片１３０と長側板１２２Ａとが接着されている場合と比べて長側板１２２Ａと外側折り返し片１３０との接着力がより強くなる。
【００４５】
また、第一の従来例のカートンにおいては、安価な紙を用いて作製することができるので、従来のシールカートンタイプの包装容器のように容器内にコストの高い板紙またはダンボール製枠体を嵌め入れたもののようにコスト高となることがない。さらに、第一の従来例のカートンにおいては、収納空間１２４への粉末洗剤の充填は、従来から用いられている充填機を用いることができる。
【００４６】
また、短側板１２３Ａ，１２３Ｂが、それぞれ、短側板フラップ１２６Ａ〜１２９Ａ，１２６Ｂ〜１２９Ｂを重ね合わせて貼着して形成された二重壁構造とされたことにより、側面の強度が確保される。また、開封前のカートンは、側板１２２Ａ，１２２Ｂ，１２３Ａ，１２３Ｂの周縁と天板１２５の周縁部との間に隙間が空いていないので、該隙間から収納空間１２４内に湿気が侵入することや前記隙間から粉末洗剤が溢れることがなく、保存安定性が優れる。また、天板１２５の周縁部の内方から外側折り返し片１３０にかけて破断可能に設けられる破断線１３２のうち少なくとも天板１２５に設けられる半切れ１３２ａを半切れ状態としたことにより、ミシン目が天板１２５の表面側から裏面側にまで貫通していないので、収納空間２４への湿気の侵入を少なくでき、特に、商品Ｘとして粉末洗剤が収納される場合、粉末洗剤が湿気により塊状となってしまうのを低減することができるからである。
【００４７】
なお、第一の従来例のカートンにおいては、長側板１２２Ａと内側折り返し片１４２との境界で、表側接着部１４４の弦と重なる部分に切り込みが形成されている場合について説明したが、表側接着部１４４の弦の延長線上に位置する長側板１２２Ａと内側折り返し片１４２との境界にも切り込みが形成されていてもよい。また、第一の従来例のカートンにおいては、短側板１２３Ａ，１２３Ｂが二重壁構造である場合について説明したが、必ずしもこれに限らず、三重壁構造以上のものであってもよい。
【００４８】
また、第一の従来例のカートンにおいては、差込みフラップ１４１の形状が、半円状である場合について説明したが、逆台形状、逆三角状であってもよい。また、第一の従来例のカートンにおいては、天板１２５の裏面の中央部１２５ａに組立式計量スプーン１３５を貼着した場合について説明したが、予め成形されたプラスチック製計量スプーンを収納空間１２４に入れてもよく、この場合には該プラスチック製計量スプーンは図２０の開口部１６０から収納空間１２４に挿入することができ、また、計量スプーンを必要としない場合には収納空間１２４に挿入しなくてもよい。
【００４９】
つぎに、カートンの第二の従来例について説明する。第二の従来例のカートンは、図２１に示すような厚紙１２０ｄを用いて作製されたものであり、第一の従来例のカートンと異なるところは、長側板１２２Ａの表面に表側接着部１４４が設けられ、かつ外側折り返し片１３０の裏面に表側接着部１４４に貼着される裏側接着部１４８が設けられ、さらに表側接着部１４４の周縁に位置する表層の切り込み４５が形成され、かつ裏側接着部４８の周縁に位置する裏層に切り込み１４６が形成されることに代えて、外側折り返し片１３０の裏面に長側板１２２Ａに貼着される裏側接着部１４８が設けられ、かつ裏側接着部１４８の周縁に位置する裏層に切り込み１４６が形成されている点である。この第二の従来例のカートンにあっては、前述の構成としたことにより、図２２に示すように開封時に、裏側接着部１４８の裏層１４８ｂが容易に剥離して長側板１２２Ａ上に接着し、外側折り返し片１３０には裏側接着部１４８の表層１４８ａが残るので、裏側接着部１４８の周囲の外側折り返し片１３０や、長側板１２２Ａが剥離したり破れたりすることが少なく、従って開封し易いうえ開封後の外観が良好である。
【００５０】
つぎに、第三の従来例について説明する。第三の従来例のカートンは、図２３に示すような厚紙１２０ｅを用いて作製されたものであり、第一の従来例のカートンと異なるところは、長側板１２２Ａの表面に表側接着部１４４が設けられ、かつ外側折り返し片１３０の裏面に表側接着部１４４に貼着される裏側接着部１４８が設けられ、さらに表側接着部１４４の周縁に位置する表層の切り込み１４５が形成され、かつ裏側接着部１４８の周縁に位置する裏層に切り込み１４６が形成されることに代えて、長側板１２２Ａの表面に外側折り返し片１３０の裏面に貼着される表側接着部１４４が設けられ、かつ表側接着部１４４の周縁に位置する表層の切り込み１４５が形成されている点である。
【００５１】
この第三の従来例のカートンにあっては、前述の構成としたことにより、図２０と同様に開封時に、表側接着部１４４の表層１４４ａが容易に剥離して外側折り返し片１３０の裏面に接着し、長側板１２２Ａには表側接着部１４４の裏層１４４ｂが残るので、表側接着部１４４の周囲の長側板１２２Ａや外側折り返し片３０が剥離したり破れたりすることが少なく、従って開封し易いうえ開封後の外観が良好である。
【００５２】
【発明が解決しようとする課題】
しかしながら、少なくとも表層と裏層を積層した多層構造の紙材からなり、底板と複数の側板とに囲まれた収納空間が側板の一つに連設された天板によって閉塞される紙製カートンであって、前記側板の表面に貼着される外側折り返し片が折曲げ可能に前記天板に連設され、さらに前記外側折り返し片が貼着される側板の表面に該外側折り返し片の裏面に貼着される表側接着部が設けられるか、又は前記外側折り返し片の裏面に側板の表面にされる裏側接着部が設けられるか、又はこれら側板の表面の表側接着部と前記外側折り返し片の裏面の裏側接着部の両方が設けられ、さらに前記表側接着部の周縁に位置する表層と前記裏側接着部の周縁に位置する裏層のうち少なくとも一方に切り込みが形成されてなることを特徴とするカートンにあっては、内容物となる商品、例えば粉末Ｘは重量がある場合が多く、この様な場合に従来技術の様に該蓋片１３３の先端部１３３ａと差込みフラップ１４１を差込み口１３９に差込むだけでは、該蓋片１３３を持った場合は粉末Ｘの重量を支えるのは実質上困難な場合が多く、内容物となる商品、例えば粉末Ｘが飛散してしまう場合がある。
【００５３】
さらに、この差込み口１３９からこの内容物となる商品、例えば粉末Ｘが流失するのを防止するには、長側板１２２Ａには、差込み口１３９を内側から覆うための内側折り返し片（他の折り返し片）１４２が折曲げ可能に連接されている構造が必要になるのが一般的である。しかし、そのために設けられた内側折り返し片１４２には、差込みフラップ１４１が差し込まれることにより形成される空間にも、内容物となる商品、例えば粉末Ｘが流失するのを防止する構造が必要となり、この従来例では内側折り返し片１４２の裏面の周辺部１４２ａを長側板１２２Ａの内面に接着剤等により貼着して差込み口１３９を取り囲む周囲部を形成している。
【００５４】
また、蓋片１３３の先端部１３３ａならびに差込みフラップ１４１を差込み口１３９に差込み易くするには、内側折り返し片１４２の裏面の周辺部１４２ａより内方で、差込み口１３９を覆う中央部１４２ｂには、エンボス加工により凹部が形成されており、長側板１２２Ａと、内側折り返し片１４２とを貼着したときに、長側板１２２Ａと内側折り返し片１４２との間で、かつ差込み口１３９の周囲に隙間ができる様に、内側折り返し片１４２を、その蓋片１３３の先端部１３３ａならびに差込みフラップ１４１の長さだけではなく、それを取り囲む周囲部の貼着部をも考慮した長さとする必要があったため、連接部から差込みフラップ１４１までの長さよりも長い長さに内側折り返し片１４２を設ける必要があったため、紙取りに必要な用紙面積が多く必要になっていた。
【００５５】
本発明は、上記事情に鑑みてなされたもので、従来技術のコスト高となることがなく、開封し易く、開封後の外観が良好であるという性能を備えたカートンを提供することを目的とし、さらには前述の性能を備えるうえ保存安定性が良好であるという性能を維持した上で、しかも、その内容物となる商品、例えば粉末Ｘは重量がある場合にも、該蓋片を持った場合に、該蓋片が容易に開かず、粉末Ｘの重量を支え、もしくは開きにくくして、内容物となる商品、例えば粉末Ｘが飛散してしまう場合を最小限にするカートンを提供することを目的とする。
【００５６】
また、連接部からの内側折り返し片を最小限の長さにすることが可能であり、紙取りに必要な用紙面積を最小限にし、そのコストの更なる低減を図ることが可能な構造のカートンを提供することを目的とする。
【００５７】
さらに、この様なカートンの実際的に利用しやすい形態のカートンを提供することを目的とする。
【００５８】
【課題を解決するための手段】
請求項１記載の発明は、少なくとも表層と裏層を積層した多層構造の紙材からなり、底板と複数の側板とに囲まれた収納空間が側板の一つに連設された天板によって閉塞される紙製カートンであって、
前記側板の表面に貼着される外側折り返し片が折曲げ可能に前記天板に連設され、
さらに前記外側折り返し片が貼着される側板の表面に該外側折り返し片の裏面に貼着される表側接着部が設けられるか、又は前記外側折り返し片の裏面に側板の表面にされる裏側接着部が設けられるか、又はこれら側板の表面の表側接着部と前記外側折り返し片の裏面の裏側接着部の両方が設けられているカートンにおいて、
前記外側折り返し片に引っ掛け片を設け、さらに前記外側折り返し片が貼着される側板の表面に前記引っ掛け片を引っ掛け可能な引っ掛け係止片を設けたことを特徴とするカートンを前記課題の解決手段とした。
【００５９】
請求項２記載の発明は、前記引っ掛け片が、前記外側折り返し片が貼着される側板と離れているか、又は容易に離れることが可能になっていることを特徴とする請求項１記載のカートンを前記課題の解決手段とした。
【００６０】
請求項３記載の発明は、前記外側折り返し片が貼着される側板と連接して折り返してある内側折り返し片を設けるとともに、その内側折り返し片が、前記引っ掛け片により形成される引っ掛け線、又は引っ掛け穴を内側から覆う様に設けたことを特徴とする請求項１又は２記載のカートンを前記課題の解決手段とした。
【００６１】
請求項４記載の発明は、前記表側接着部の周縁に位置する表層に切り込みが形成されているとき、前記天板または外側折り返し片の裏面の裏層に切り込みが前記天板と外側折り返し片との境界に位置する折り返し部に沿って形成されており、あるいは前記裏側接着部の周縁に位置する裏層に切り込みが形成されているとき、前記外側折り返し片が貼着される側板またはこれに連設された他の折り返し片の表面に形成する切り込みを前記側板と他の折り返し片との境界に位置する折り返し部に沿って半切れにするか、あるいは半切れまたは全切れによるミシン目としたことを特徴とする請求項１又は２又は３記載のカートンを前記課題の解決手段とした。
【００６２】
請求項５記載の発明は、前記外側折り返し片の裏面の裏側接着部の両側に第２の接着部が該裏側接着部と近接してあるいは接するように設けられ、前記両側の第２の接着部が側板に貼着されていることを特徴とする請求項１又は２又は３又は４記載のカートンを前記課題の解決手段とした。
【００６３】
【発明の実施の形態】
以下、本発明を詳しく説明する。図１は本発明のカートンの第一の例を示す斜視図である。また、図２は、図１に示したカートンを作製するための厚紙の裏層側から見た展開図である。第一の例のカートンは、底板２１と、長手方向の側板（以下、長側板と記す。）２２Ａ，２２Ｂと、短手方向の側板（以下、短側板と記す。）２３Ａ，２３Ｂとに囲まれた収納空間２４が、一つの長側板２２Ｂに連設された天板２５によって閉塞される紙製の直方体状のものである。ここでの収納空間２４には、商品Ｘとして粉末洗剤などの粉体が充填されている。
【００６４】
前記底板２１と、長側板２２Ａ，２２Ｂと、短側板２３Ａ，２３Ｂと、天板２５は、図２に示すように一枚の厚紙２０ａによって形成されている。該厚紙２０ａは、少なくとも表層と裏層の二層以上を積層した多層構造のものであり、該裏層は通常古紙から構成されており、厚紙２０ａの表層側表面の大部分がカートンの表面となり、裏層側表面がカートンの裏面となり、図２中の矢印は紙目である。前記短側板２３Ａは、底板２１の一方の短辺、天板２５の一方の短辺、長側板２２Ｂの一方の短辺、長側板２２Ｂに一方の短辺に連設された側板フラップ２６Ａ，２７Ａ，２８Ａ，２９Ａを重ね合わせて貼着して設けられた二重壁構造のものである。短側板２３Ｂは、底板２１の他方の短辺、天板２５の一方の短辺、長側板２２Ｂの他方の短辺、長側板２２Ｂに他方の短辺に連設された側板フラップ２６Ｂ，２７Ｂ，２８Ｂ，２９Ｂを重ね合わせて貼着して設けられた二重壁構造のものである。
【００６５】
天板２５には、外側の長側板２２Ａの表面に貼着される外側折り返し片３０が折曲げ可能に連設されている。前記天板２５の両方の短辺（縁部）より内方の位置から折り返し片３０にかけてミシン目または半切れによる破断線３２が設けられ、該破断線３２の破断により前記収納空間２４を開閉する蓋片３３が形成できるようになっている。このようにして形成された蓋片３３は、天板２５の中央部２５ａと外側折り返し片３０の中央部分３０ａとからなるものである。
【００６６】
前記破断線３２のうち天板２５に設けられる半切れ３２ａは、図３に示すように天板２５の表層側と裏層側からそれぞれ切り込み３４ａ，３４ｂを、半切れ状態で厚み方向の位置がわずかにずれるように入れることが好ましい。半切れ状態であると、切り込み３４ａ，３４ｂが天板２５の表面側から裏面側にまで貫通していないので、収納空間２４への湿気の侵入を少なくでき、特に、商品Ｘとして粉末洗剤が収納される場合、粉末洗剤が湿気により塊状となってしまうのを低減することができるからである。また、前記破断線３２のうち外側折り返し片３０に設けられるミシン目３２ｂは、表面側から裏面側にまで貫通する通常のミシン目である方が蓋片３３を形成し易く、開封が容易となるからである。
【００６７】
前記天板２５の両方の短辺から天板の表層側に形成される切り込み３４ａまでの幅Ｗ１としては、大きい方が、外側折り返し片３０のミシン目３２ｂと、天板２５の長辺との間に作られる内角θが大きくなるため、開封が容易となるからである。例えば、カートンの大きさが横１５０×縦９０×高さ１３４ｍｍである場合、前記幅Ｗ１は、１０ｍｍ程度が好ましく、また、前記内角θは４５゜程度が好ましい。
【００６８】
外側折り返し片３０の中央部３０ａの先端部には、蓋片３３の先端部を摘み易くするために先端部３３ａが設けられるとともに、後述する引っ掛け係止片３９と係止が可能な様に、先端部３３ａとの境界は引っ掛け片４１が切断されて設けられている。また、この引っ掛け片４１が設けられていない蓋片３３と先端部３３ａとの境界には、より引っ掛け片４１が引っ掛け易い様に浮き易くするために折り罫４１ｂが形成されていることが好ましい。
【００６９】
前記長側板２２Ａには、該引っ掛け片４１が引っ掛け易い様に、引っ掛け係止片３９が形成されている。この長側板２２Ａには、引っ掛け係止片３９を内側から覆うための内側折り返し片（他の折り返し片）４２が折曲げ可能に連接されている。そして、その引っ掛け係止片３９に引っ掛け片４１が容易に引っ掛け可能な様に、引っ掛け穴４９が設けられている。また、前記内側折り返し片４２の裏面の引っ掛け係止片３９、引っ掛け穴４９および分離片４４以外の周辺部４２ａを長側板２２Ａの内面に接着剤等により貼着して引っ掛け係止片３９、および引っ掛け穴４９を取り囲む周囲部が形成されている。また、内側折り返し片４２の裏面の周辺部４２ａより内方で、引っ掛け係止片３９、引っ掛け穴４９および分離片４４を覆う中央部４２ｂには、エンボス加工により凹部が形成されており、長側板２２Ａと、内側折り返し片４２とを貼着したときに、長側板２２Ａと内側折り返し片４２との間で、かつ引っ掛け係止片３９、および引っ掛け穴４９の周囲に隙間ができ、引っ掛け片４１が引っ掛け係止片３９に引っ掛け易くなっている。
【００７０】
長側板２２Ａで、前記引っ掛け係止片３９と前記内側折り返し片４２との間には、逆台形状の分離片４４が設けられ、他の長側板部分とはミシン目４４ａで係止られている。
【００７１】
さらに、この分離片４４は前記内側折り返し片４２側の接着部４４ｂと、非接着部４４ｃとに別れ、その裏面の境界には裏面よりハーフカット４４ｄが設けられるとともに、その分離片４４中央部には表側接着部４４ｆが設けられ、その接着部４４ｂ中央には裏面接着部４４ｆが設けられている。
【００７２】
分離片４４の形状は、前記内側折り返し片４２側から引っ掛け係止片３９にかけて種々の形状のものがあるが、その引っ掛け係止片３９の形状により左右されるがその側部形状は、先端部３３ａの摘み上げによりそのミシン目４４ａが容易に切断できる形状、例えば、４５度などの直線形状を挙げることができる。
【００７３】
ここでの表側接着部４４は、これの長辺が長側板２２Ａと内側折り返し片４２との境界に位置するように設けられており、一方、短辺が引っ掛け係止片３９側となるように設けられている。また、外側折り返し片３０の裏面でミシン目３２ｂより内方に前記裏面接着部４４ｆに貼着される裏側接着部４８が設けられている。この裏側接着部４８の形状は、前述の裏面接着部４４ｆと略同形状であり、例えば、分離片４４の形状に相当するが、その周縁部を除いた形状などを挙げることができる。
【００７４】
また、後述するように先端部３３ａを引き上げ、破断線３２に沿って外側折り返し片３０ならびに天板２５をカットすることにより蓋片３３を形成してカートンを開封するときに、分離片４４が、ミシン目３２ｂ、ミシン目４５、ハーフカット４４ｄに力が加わるので、非接着部４４ｃと、接着部４４ｂの一部分が破れてその表層４４ｘがこれの輪郭に沿って容易に剥離して外側折り返し片３０の裏側接着部４８上に接着するので、裏側接着部４８の一部分が破れて分離片４４の非接着部４４ｃと接着部４４ｂの表層４４ｘの一部分とともに外側折り返し片３０の裏面に残る。
【００７５】
また、外側折り返し片３０には、より開封し易くするために、および引っ掛け片４２が容易に蓋片３３から浮き、容易に引っ掛け係止片３９に係止できる様に、切断線４１ａおよびそれに連続して折り罫４１ｂが形成されていることが好ましい。また、前記外側折り返し片３０の裏面で、ミシン目３２ｂの両側すなわち裏側接着部４８の両側に第２の接着部４７ａ，４７ｂが前記裏側接着部４８と近接してあるいは接するように設けられている。
【００７６】
また、前記長側板２２Ａの高さＨは、他の側板２２Ｂ，２３Ａ，２３Ｂよりも天板２５の厚み分程度低くなっていることが好ましい。ここで側板２２Ａの高さＨが他の側板２２Ｂ，２３Ａ，２３Ｂと同じ高さであると、外側折り返し片３０を長側板２２Ａに貼着したとき、天板２５と外側折り返し片３０との境界に位置する折り返し部の高さが天板２５と各側板２２Ｂ，２３Ａ，２３Ｂとの境界に位置する折り返し部の高より高くなり、得られるカートンの天板２５に傾斜ができたり、長側板２２Ａの長辺と外側折り返し片３０との間に隙間ができてしまうからである。
【００７７】
前述のような厚紙２０ａを用いてカートンを作製するとき、裏側接着部４８と、第２の接着部４７ａ，４７ｂには接着剤が塗布されるが、このときミシン目３２ｂの部分を避けて接着剤を塗布することが開封時におけるこの部分の外観上好ましい。ミシン目３２ｂの部分にまで接着剤が塗布されると、ミシン目３２ｂから接着剤が浸み込んで、開封時にミシン目３２ｂからきれいに開封できないからである。また、厚紙２０ａの表層側表面には、必要に応じて印刷が施されており、さらにこの印刷層上に外側折り返し片３０と接着する部分を除いて、例えば、第２の接着部４７ａ，４７ｂや裏側接着部４８を接着する部分を除いて、ビニール引きなどのオーバーコートが施されている。ここで厚紙２０ａの表層側表面で接着する部分にもオーバーコートが施されていると、接着不良が生じる恐れがあるからである。
【００７８】
そして、外側折り返し片３０の裏側接着部４８は長側板２２Ａの表側接着部４４に接着剤等により貼着されており、さらに、両側の第２の接着部４７ａ，４７ｂは長側板２２Ａの表側接着部４４の両側表面に接着剤等により貼着されている。
【００７９】
また、蓋片３３を構成する天板２５の中央部２５ａの裏面には、該中央部２５ａの周縁からはみださない板紙からなる組立式計量スプーン３５が接着剤、両面テープ等により取り外し可能に貼着されている。このシート状の組立式計量スプーン３５は、図４に示すようにバルカナイズドファイバーからなる横長の長方形状のもので、中央部から左側に収納部形成用の２本の横Ｖ字型の折り目３７ａ，３７ａを形成し、中央部から右側に把手形成用の放射状に３本の折り目３７ｂ，３７ｂ，３７ｂ、切り込み３７ｃ，３７ｃを形成し、把手片３６ａ，３６ｂ，３６ｃを形成し、さらに把手片３６ｃに半円状の切り込み３７ｄにより係止部３６を形成したものであり、簡単に組立てられるようになっているものである。この組立式計量スプーン３５の大きさは、天板２５の中央部２５ａの周縁部からはみ出さない大きさとされる。なお、組立式計量スプーン３５はカートンの寸法により長側板２２Ｂなどに取り出し可能に貼着することもできるが、洗剤に手を触れなくても済むことや、取り出しが容易であることから、天板２５の裏面に貼着する方が好ましい。
【００８０】
組立式計量スプーン３５が天板２５の中央部２５ａの周縁部からはみ出ていると、後述の洗剤メーカーに搬送する前に包材メーカーにおいて、図６に示すような折り畳み物２０ｂを作製するときや、洗剤メーカーでの組み立て時に側板の立ち上げを容易とするために図７に示すような折り畳み物２０ｃを作製するとき、組立式計量スプーン３５が長側板２２Ｂや外側折り返し片３０に当ってしまい、折曲げにくくなるからである。また、図８に示すように洗剤メーカーでフラップ２６Ｂ，２７Ｂ，２８Ｂ，２９Ｂを貼着して短側板２３Ｂを形成するときや、収納空間２４に商品Ｘを充填後、フラップ２６Ａ，２７Ａ，２８Ａ，２９Ａを貼着して短側板２３Ａを形成するとき、これらフラップに組立式計量スプーン３５が当ってしまい、短側板２３Ａ，２３Ｂを形成しにくくなるからである。また、図９に示すように蓋片３３を開けたときに、組立式計量スプーン３５が長側板２２Ａ，２２Ｂあるいは短側板２３Ａ，２３Ｂに接触して取出しにくくなるからである。
【００８１】
このような組立式計量スプーン３５の材質としては、紙などが用いられ、特にバルカナイズドファイバーが好適に用いられる。このバルカナイズドファイバーは、堅紙とも呼ばれ、濃度６５〜７５゜Ｂｅの塩化亜鉛の濃溶液をもって処理した変性加工紙の一種である。
【００８２】
図２に示した厚紙２０ａを用いて図１に示した計量スプーン付きカートンを作製するには、例えば以下の工程によって製造することができる。まず、包材メーカーにおいて、図２に示したような厚紙２０ａを用意し、天板２５の裏面に組立式計量スプーン３５を天板２５の中央部２５ａの周縁からはみ出さないように接着剤、両面テープ等で取り外し可能に貼着する。ついで、図５に示すように内側折り返し片４２と長側板２２Ａとの境界を谷にして折曲げて、内側折り返し片４２の裏面の周辺部４２ａを、長側板２２Ａの内面に接着剤等を用いて貼着して引っ掛け係止片３９を取り囲む周囲部を形成する。
【００８３】
この後、厚紙２０ａの裏側接着部４８と、第２の接着部４７ａ，４７ｂには、ミシン目３２ｂの部分を避けて接着剤等を塗布し、ついで図６に示すように底板２１と長側板２２Ａとの境界と、長側板２２Ｂと天板２５との境界を谷にして折曲げた後、外側折り返し片３０の裏側接着部４８と長側板２２Ａの裏面接着部４４ｆとを貼着するとともに、外側折り返し片３０の第２の接着部４７ａ，４７ｂを側板２２Ａの分離片４４の両側表面に貼着した後、板状の折り畳み物２０ｂを作製する。
【００８４】
この後、洗剤メーカーでの組み立て時に側板の立ち上げを容易とするために、前記折り畳み物２０ｂを、これの底板２１と長側板２２Ｂとの境界と、天板２５と外側折り返し片３０との境界を山にして折り曲げて折り目を付けて図７に示すような板状の折り畳み物２０ｃを作製した後、該折り畳み物２０ｃを、これの底板２１と長側板２２Ａとの境界と、長側板２２Ｂと天板２５との境界を山にして折曲げて、図６に示した折り畳み物２０ｂの状態に戻しておく。ついで、このような折り畳み物２０ｂを積み重ね、紐等で束ねた後、洗剤メーカーに運搬する。
【００８５】
洗剤メーカーに搬入された折り畳み物２０ｂは、一時的に保管される。このような折り畳み物２０ｂは板状となっているので、また、組立式計量スプーン３５はシート状のまま折り畳み物２０ｂ内に挿入されているので、運搬時や保管時に、嵩張らず、積み重ね易く、高積みすることができる。
【００８６】
ついで、洗剤メーカーにおいて折り畳み物２０ｂを、図８に示すようにフラップ２６Ｂ，２７Ｂ，２８Ｂ，２９Ｂを接着剤等により貼着して短側板２３Ｂを形成し、この短側板２３Ｂの反対側の開口部４０から収納空間２４内に商品Ｘとして粉末洗剤を充填後、フラップ２６Ａ，２７Ａ，２８Ａ，２９Ａを接着剤等により貼着して短側板２３Ａを形成すると、図１に示すようなカートンが得られる。
【００８７】
次に、このようにして得られたカートンの使用例について説明する。まず、図１に示すカートンの蓋片３３の先端部３３ａを摘み上げ、破断線３２に沿って外側折り返し片３０をカットして蓋片３３の先端部３３ａをカートン本体から離す。
【００８８】
このようにすると、図９（ａ）に示すように長側板２２Ａの分離片４４が、ミシン目３２ｂ、ミシン目４５、ハーフカット４４ｄの部分で、非接着部４４ｃと、接着部４４ｂの一部分が破れてその表層４４ｘがこれの輪郭に沿って容易に剥離して外側折り返し片３０の裏側接着部４８上に接着するので、分離片４４の一部分である非接着部４４ｃおよび接着部４４ｂの表層４４ａの一部分とともに、裏面接着部４４ｆの働きにより外側折り返し片３０の裏面に残るとともに、残った長側板２２Ａには、分離片４４がなくなった事により引っ掛け係止片３９が形成される。
【００８９】
さらに、蓋片３３の先端部３３ａを引き上げ、破断線３２に沿って外側折り返し片３０ならびに天板２５をカットして残りの部分の蓋片３３を形成し、蓋片３３を開けると、図８に示すように蓋片３３を構成する天板２５の中央部２５ａの裏面に貼着された組立式計量スプーン３５が露出する。
【００９０】
ついで、露出した組立式計量スプーン３５を天板２５の中央部２５ａから取り外した後、組立式計量スプーン３５を図４に示す折り目３７ａ、３７ａに沿って折曲げて収納部を形成し、折り目３７ｂ，３７ｂ，３７ｂに沿って折曲げた後、把手片３６ａ，３６ｂを切り込み３７ｂに引っ掛け、把手片３６ａ，３６ｂを係止部３６により係り止めることにより把手部を形成すると、図１０に示すような組立後の計量スプーン３５ａが得られる。そして、この計量スプーン３５ａにより収納空間２４に収容された粉末洗剤Ｘをすくい取って計量し、使用する。
【００９１】
粉末洗剤Ｘを使用した後は、引っ掛け係止片３９に引っ掛け片４１を引っ掛けることにより、収納空間２４を閉塞し、図９（ｂ）に示す様に、粉末洗剤Ｘを保管しておくことができる。ここで計量スプーン３５ａは、蓋片３３により収納空間２４を閉塞する前に、収納空間２４内に入れておく。再度、粉末洗剤Ｘを取出すときは、引っ掛け係止片３９から引っ掛け片４１を外して、蓋片３３を開け、この後、前述の方法と同様にして粉末洗剤Ｘを使用すればよい。
【００９２】
また、第一の例のカートンにおいては、安価な紙を用いて作製することができるので、従来のシールカートンタイプの包装容器のように容器内にコストの高い板紙またはダンボール製枠体を嵌め入れたもののようにコスト高となることがない。さらに、第一の例のカートンにおいては、収納空間２４への粉末洗剤の充填は、従来から用いられている充填機を用いることができる。
【００９３】
また、短側板２３Ａ，２３Ｂが、それぞれ、短側板フラップ２６Ａ〜２９Ａ，２６Ｂ〜２９Ｂを重ね合わせて貼着して形成された二重壁構造とされたことにより、側面の強度が確保される。また、開封前のカートンは、側板２２Ａ，２２Ｂ，２３Ａ，２３Ｂの周縁と天板２５の周縁部との間に隙間が空いていないので、該隙間から収納空間２４内に湿気が侵入することや前記隙間から粉末洗剤が溢れることがなく、保存安定性が優れる。また、天板２５の周縁部の内方から外側折り返し片３０にかけて破断可能に設けられる破断線３２のうち少なくとも天板２５に設けられる半切れ３２ａを半切れ状態としたことにより、ミシン目が天板２５の表面側から裏面側にまで貫通していないので、収納空間２４への湿気の侵入を少なくでき、特に、商品Ｘとして粉末洗剤が収納される場合、粉末洗剤が湿気により塊状となってしまうのを低減することができるからである。
【００９４】
加えて、従来例に比べて用紙面積を５．８％削減する事が可能になるとともに、引っ掛けた状態で蓋片を持っても、カートン本体が蓋片から外れる事なく、内容物が飛び散る事がなくなった。
【００９５】
なお、第一の例のカートンにおいては、長側板２２Ａと内側折り返し片４２との境界で、ミシン目４５が全幅について形成されている場合について説明したが、分離片４４の部分にのみミシン目が形成され、その分離片と接触するミシン目４５の延長線上に位置する長側板２２Ａと内側折り返し片４２との境界には、ミシン目に代わって切り込み、もしくは折り目が形成されていてもよい。また、第一の例のカートンにおいては、短側板２３Ａ，２３Ｂが二重壁構造である場合について説明したが、必ずしもこれに限らず、三重壁構造以上のものであってもよい。また、第一の例のカートンにおいては、係止片４１の形状として単に切断線４１で形成したが、その係止性能や、先端部３３ａの強度の関係上抜き形状により形成された形状や、その他の各種係止形状であってもよい。
【００９６】
また、第一の例のカートンにおいては、天板２５の裏面の中央部２５ａに組立式計量スプーン３５を貼着した場合について説明したが、予め成形されたプラスチック製計量スプーンを収納空間２４に入れてもよく、この場合には該プラスチック製計量スプーンは図９の開口部６０から収納空間２４に挿入することができ、また、計量スプーンを必要としない場合には収納空間２４に挿入しなくてもよい。
【００９７】
また、第一の例のカートンにおいては、組立式計量スプーン３５がバルカナイズトファイバーからなる場合について説明したが、厚紙でもよい。
【００９８】
この様に、側板の表面の表側接着部と外側折り返し片の裏面の裏側接着部の両方が設けられている構成の他、外側折り返し片が貼着される側板の表面に該外側折り返し片の裏面に貼着される表側接着部が設けられる構成や、外側折り返し片の裏面に側板の表面にされる裏側接着部が設けられる構成も可能である。
【００９９】
つぎに、本発明のカートンの第二の例について説明する。第二の例のカートンは、図１１に示すような厚紙２０ｄを用いて作製されたものであり、第一の例のカートンと異なるところは、第一の例のカートンにおいて、分離片４４は前記内側折り返し片４２側の接着部４４ｂと、非接着部４４ｃとに別れ、その裏面の境界には裏面よりハーフカット４４ｄが設けられるとともに、その分離片４４中央部には表側接着部４４ｆが設けられ、その接着部４４ｂ中央には裏面接着部４４ｆが設けられている構造を変更し、分離片４４を非接着部４４ｃのみに留めるとともに、非接着部４４ｃと接着部４４ｂの境界のハーフカット４４ｄを、ミシン目４４ｄに変更するとともに、逆に、長側板２２Ａと内側折り返し片４２との境界に位置するように設けられている切り込み線４５に代わってが全幅についてはハーフカット４５ｂが形成されているのが違いである、なお、接着部４４ｂと他の長側板２２Ａとのミシン目４４ａの一部をなす境界部分のミシン目４４ｍは、その長さが短いためにそのままでも支障がないが、その代わりにハーフカットとなっても構わないことは当然である。
【０１００】
この第二の例のカートンにあっては、前述の構成としたことにより、図１２に示すように開封時に、長側板２２Ａの非接着部４４ｃである分離片４４が容易に剥離して外側折り返し片３０上に接着し、また、接着部４４ｂの表層４４ｑが容易に剥離して外側折り返し片３０上に接着し、長側板２２Ａには分離片４４である接着部４４ｂの裏層４４ｐおよび非接着部４４ｃが残る。
【０１０１】
この場合、接着部４４ｂの裏層４４ｐの周囲の長側板２２Ａや、外側折り返し片３０が剥離したり破れたりすることが少なく、従って開封し易いうえ開封後の外観が良好である。
【０１０２】
なお、本発明のカートンの望ましい実施の態様としては、次に記載したような構成要件を設定したときに、以下のような効果を特に得ることができる。
【０１０３】
まず、本発明のカートンにおいては、外側折り返し片が貼着される側板の高さは、他の側板よりも天板の厚み分程度低くなっていることが好ましい。外側折り返し片が貼着される側板の高さが他の側板よりも天板の厚み分程度低くなっていると、外側折り返し片を側板に貼着したとき、天板と外側折り返し片との境界に位置する折り返し部の高さが天板とその他の側板との境界に位置する折り返し部の高さと略同じ高さとなるので、得られるカートンの天板に傾斜ができたり、側板の外側折り返し片側の辺と外側折り返し片との間に隙間ができるのを防止できる。
【０１０４】
この様に、側板の表面の表側接着部と外側折り返し片の裏面の裏側接着部の両方が設けられている構成の他、外側折り返し片が貼着される側板の表面に該外側折り返し片の裏面に貼着される表側接着部が設けられる構成や、外側折り返し片の裏面に側板の表面にされる裏側接着部が設けられる構成も可能である。
【０１０５】
さらに、以上の両実施例では、引っ掛け係止片が引っ掛け容易な様に、外側折り返し片の裏面に接着させる構成を取ったが、エンボス加工その他の処理により分離片を設ける事無く引っ掛け係止片が引っ掛け容易な様に構成できる場合は、この様な構成でも構わない。
【０１０６】
加えて、以上の両実施例では、引っ掛け片が引っ掛け易い様に、折れ線加工を引っ掛け片の脇に折り罫加工を行ったが、これで十分でなければ、引っ掛け片の上方に穴やエンボス加工を加える方法もある。
【０１０７】
また、本発明のカートンにおいては、前記外側折り返し片の蓋片を構成する部分には先端部が連設されていることが好ましい。このようにすると、蓋片の先端部が摘み易くなり、また、引っ掛け片を引っ掛け係止片に引っ掛け易い。
【０１０８】
次に、本発明のカートンにおいては、前記蓋片の引っ掛け片が外側折り返し片を貼着する側板に設けられ、該引っ掛け係止片を内側から覆うための内側折り返し片が折曲げ可能に前記引っ掛け係止片を形成した側板に連設され、前記内側折り返し片の裏面の周辺部を前記側板の内面に貼着して前記引っ掛け係止片を取り囲む周囲部が形成されていることが好ましい。このような構成にすると、引っ掛け係止片から収納空間内に湿気が侵入したり、あるいは収納空間に収容された粉末洗剤が差込み口から外部に溢れることを防止することができる。
【０１０９】
さらに、本発明のカートンにおいては、前記内側折り返し片の裏面の周辺部より内方で、引っ掛け係止片を覆う中央部は、エンボス加工により凹部が形成されていることが好ましい。このような構成にすると、側板と、内側折り返し片とを貼着したときに、側板と内側折り返し片との間で、かつ引っ掛け係止片と内側折り返し片の間に隙間ができ、引っ掛け係止片に引っ掛け片を引っ掛け易くなる。
【０１１０】
また、本発明のカートンにおいては、天板の両方の短辺から天板の表層側に形成されるミシン目までの幅Ｗ１としては、大きい方が好ましい。該幅Ｗ１が大きいと、外側折り返し片のミシン目と、天板の長辺との間に作られる内角θが大きくなるため、開封が容易となるからである。
【０１１１】
そして、本発明のカートンにおいては、蓋片を構成する天板部裏面に該天板部の周縁からはみ出さないシート状の組立式計量スプーンが取り外し可能に貼着され前記蓋片の開放時に、前記組立式計量スプーンが露出自在にされてなる構成とされていることが好ましい。このような構成にすると、組立式計量スプーンがシート状のまま組立る前のカートン（折り畳み物）内に挿入できるので、運搬時や保管時に、嵩張らず、積み重ね易く、高積みすることができる。
【０１１２】
最後に、前記組立式計量スプーンはバルカナイズドファイバーから構成されていることが好ましい。
【０１１３】
【発明の効果】
以上説明したように本願発明のカートンにあっては、従来技術と同様に、開封時に長側板の一部の表層と、それに対応する外側折り返し片の裏層のうちいずれかが容易に剥離して他方の上に接着し、接着したお互いの部分の周囲の外側折り返し片、もしくはその側板が剥離したり破れることがなく、開封時に外側折り返し片の裏層、もしくはその側板の表層が容易に剥離して、側板の表層、もしくは外側折り返し片の裏面に接着し、外側折り返し片や、表側側板が剥離したり破れたりすることが少なく、周囲の外側折り返し片や側板が剥離したり破れることが少なくなり、従って開封し易いうえ開封後の外観が良好である効果を維持する。
【０１１４】
また、従来例と同様、安価な紙を用いて作製することができるので、シールカートンタイプの包装容器のようにコスト高となることがない。さらに、収納空間への粉末洗剤の充填は、従来から用いられている充填機をそのまま用いることができる。
【０１１５】
本発明は、さらには前述の性能を備えるうえ保存安定性が良好であるという性能を維持した上で、しかも、その内容物となる商品、例えば粉末Ｘは重量がある場合にも、該蓋片３３を持った場合に、該蓋片３３が容易に開かず、粉末Ｘの重量を支え、もしくは開きにくくして、内容物となる商品、例えば粉末Ｘが飛散してしまう場合を最小限にするカートンを提供することを目的とする。
【０１１６】
請求項２記載の発明においては、この様なカートンの実際的に利用しやすい、内容物、例えば重量がある粉末Ｘの場合を考慮した、差し込み方式より優れた実際に引っ掛け可能な形態のカートンを提供することを目的とする。
【０１１７】
特に、請求項３記載の発明においては、粉末Ｘ飛散防止のための連接部からの内側折り返し片４２の長さを、従来例の様に差し込みを考慮した必要以上の長さとする必要がなく、最低限引っ掛け係止め片までの長さ、もしくはその長さに最低限の接着のための周囲部の長さにより構成することが可能になり、これにより最小限の長さにすることが可能であり、紙取りに必要な用紙面積を最小限にし、そのコストの更なる低減を図ることが可能な構造のカートンを提供することが可能になった。
【０１１８】
また、請求項４記載のカートンにあっては、特に、側板の表層に切り込みが形成されているとき、前記天板または外側折り返し片の裏面の裏層に切り込みが前記天板と外側折り返し片との境界に位置する折り返し部に沿って形成されたものであるで、外側折り返し片の裏面が剥がれても天板の裏面が外側折り返し片に伴って剥がれることがなく、あるいは裏側接着部の周縁に位置する裏層に切り込みが形成されているとき、前記外側折り返し片が貼着される側板またはこれに連設された他の折り返し片の表面に形成する切り込みを前記側板と他の折り返し片との境界に位置する折り返し部に沿って半切れにするか、あるいは半切れまたは全切れによるミシン目としたものであるので、側板の表面が剥がれても他の折り返し片の表面が側板に伴って剥がれることがない。
【０１１９】
さらに、請求項５記載のカートンにあっては、特に、外側折り返し片の裏面の裏側接着部の両側に第２の接着部が該裏側接着部と近接してあるいは接するように設けられ、前記両側の第２の接着部が側板に貼着されたものであるので、開封前は外側折り返し片と側板との間の隙間の密封性が良好で、該隙間から収納空間内に湿気が侵入したり、あるいは収納空間に収容された粉末洗剤が前記隙間から外部に溢れることを防止することができるので保存安定性が優れており、また、裏側接着部と側板の表面との貼着だけにより外側折り返し片と側板とが接着されている場合と比べて側板と外側折り返し片との接着力がより強くなる。
【図面の簡単な説明】
【図１】第一の実施例を示す斜視図である。
【図２】第一の実施例のカートンを作製するための厚紙の展開図である。
【図３】第一の実施例のカートンの天板に設けられる半切れのミシン目を説明するための断面図である。
【図４】第一の実施例のカートンの天板の裏面に貼着される組立式計量スプーンを示す平面図である。
【図５】図２の厚紙の内側折り返し片の裏面の周辺部を、長側板の内面に貼着して差込み口を取り囲む周囲部を形成したときの状態を示す平面図である。
【図６】図２の厚紙の折り畳み物を説明するための平面図である。
【図７】図６の折り畳み物を作製した後、作製される折り畳み物を説明するための平面図である。
【図８】第一の実施例の一方の短側板を形成後、収納空間に商品（粉末洗剤）を充填する工程を説明するための斜視図である。
【図９】第一の実施例のカートンの蓋片を開けて開封したときの状態を示す斜視図で、（ａ）は蓋片が起立した状態、（ｂ）は、引っ掛け係止片に引っ掛け片を引っ掛けた状態の、各々斜視図ある。
【図１０】第一の実施例の組立後の計量スプーンの斜視図である。
【図１１】第二の実施例を作製するための厚紙の展開図である。
【図１２】第二の実施例のカートンの蓋片を開けて開封したときの状態を示す斜視図である。
【図１３】第一の従来例を示す斜視図である。
【図１４】第一の従来例のカートンを作製するための厚紙の展開図である。
【図１５】第一の従来例のカートンの天板に設けられる半切れのミシン目を説明するための断面図である。
【図１６】図１４の厚紙の内側折り返し片の裏面の周辺部を、長側板の内面に貼着して差込み口を取り囲む周囲部を形成したときの状態を示す平面図である。
【図１７】図１４の厚紙の折り畳み物を説明するための平面図である。
【図１８】図１７の折り畳み物を作製した後、作製される折り畳み物を説明するための平面図である。
【図１９】第一の従来例の一方の短側板を形成後、収納空間に商品（粉末洗剤）を充填する工程を説明するための斜視図である。
【図２０】第一の従来例のカートンの蓋片を開けて開封したときの状態を示す斜視図である。
【図２１】第二の従来例を作製するための厚紙の展開図である。
【図２２】第二の従来例のカートンの蓋片を開けて開封したときの状態を示す斜視図である。
【図２３】第三の従来例のカートンの第三の例を作製するための厚紙の展開図である。
【符号の説明】
２０ａ，２０ｄ，２０ｅ，２０ｆ，２０ｇ・・・厚紙
２１・・・底板
２２Ａ，２２Ｂ・・・長手方向の側板（長側板）
２３Ａ，２３Ｂ・・・短手方向の側板（短側板）
２４・・・収納空間
２５・・・天板、２５ａ・・・中央部
２６Ａ，２７Ａ，２８Ａ，２９Ａ・・・側板フラップ
２６Ｂ，２７Ｂ，２８Ｂ，２９Ｂ・・・側板フラップ
Ｘ・・・商品
３０・・・外側折り返し片、３０ａ・・・中央部
３２・・・破断線、３２ａ・・・半切れ、３２ｂ・・・ミシン目
３３・・・蓋片、３３ａ・・・先端部、Ｗ１・・・幅、θ・・・内角
３４ａ，３４ｂ・・・切り込み
３５・・・組立式計量スプーン
３９・・・引っ掛け係止片
４１・・・引っ掛け片、４１ａ・・・切断線、４２ｂ・・・折り罫
４２・・・内側折り返し片、４２ａ・・・周辺部、４２ｂ・・・中央部
４４・・・分離片、４４ａ・・・ミシン目、４４ｂ・・・接着部、４４ｃ・・・非接着部、４４ｄ・・・ハーフカット、４４ｅ・・・表側接着部、４４ｆ・・・裏面接着部、４４ｘ・・・表層、４４ｙ・・・裏層
４５・・・切り込み、４５ａ・・・切り込み、４５ｂ・・・半切目、４５ｃ・・・繋目、４５ｄ・・・全切目
４６・・・切り込み、４６ａ・・・切り込み
４７ａ，４７ｂ・・・第２の接着部
４８・・・裏側接着部、４８ａ、４８ｂ・・・領域、４８ｘ・・・表層、４８ｙ・・・裏層
４９・・・引っ掛け穴
５１ａ・・・折り罫。
１２０ａ，１２０ｄ，１２０ｅ，１２０ｆ，１２０ｇ・・・厚紙
１２１・・・底板
１２２Ａ，１２２Ｂ・・・長手方向の側板（長側板）
１２３Ａ，１２３Ｂ・・・短手方向の側板（短側板）
１２４・・・収納空間
１２５・・・天板、１２５ａ・・・中央部
１２６Ａ，１２７Ａ，１２８Ａ，１２９Ａ・・・側板フラップ
１２６Ｂ，１２７Ｂ，１２８Ｂ，１２９Ｂ・・・側板フラップ
１３０・・・外側折り返し片、１３０ａ・・・中央部
１３２・・・破断線、１３２ａ・・・半切れ、１３２ｂ・・・ミシン目
１３３・・・蓋片、１３３ａ・・・先端部
１３４ａ，１３４ｂ・・・切り込み
１３９・・・差込み口
１４１・・・差込みフラップ、１４１ａ・・・折り罫
１４２・・・内側折り返し片、１４２ａ・・・周辺部、１４２ｂ・・・中央部
１４４・・・表側接着部、１４４ａ・・・表層、１４４ｂ・・・裏層
１４５・・・切り込み、１４５ａ・・・切り込み、１４５ｂ・・・半切目、１４５ｃ・・・繋目、１４５ｄ・・・全切目
１４６・・・切り込み、１４６ａ・・・切り込み
１４７ａ，１４７ｂ・・・第２の接着部
１４８・・・裏側接着部、１４８ａ・・・表層、１４８ｂ・・・裏層
１４９・・・下側点状接着部、１４９ａ・・・表層、１４９ｂ・・・裏層
１５０・・・上側点状接着部
１５１ａ・・・折り罫。
【図１】
2004090975.tif 000003
【図２】
2004090975.tif 000004
【図３】
2004090975.tif 000005
【図４】
2004090975.tif 000006
【図５】
2004090975.tif 000007
【図６】
2004090975.tif 000008
【図７】
2004090975.tif 000009
【図８】
2004090975.tif 000010
【図９】
2004090975.tif 000011
【図１０】
2004090975.tif 000012
【図１１】
2004090975.tif 000013
【図１２】
2004090975.tif 000014
【図１３】
2004090975.tif 000015
【図１４】
2004090975.tif 000016
【図１５】
2004090975.tif 000017
【図１６】
2004090975.tif 000018
【図１７】
2004090975.tif 000019
【図１８】
2004090975.tif 000020
【図１９】
2004090975.tif 000021
【図２０】
2004090975.tif 000022
【図２１】
2004090975.tif 000023
【図２２】
2004090975.tif 000024
【図２３】
2004090975.tif 000025